【手続補正書】
【提出日】平成27年8月7日(2015.8.7)
【手続補正１】
【補正対象書類名】明細書
【補正対象項目名】０００９
【補正方法】変更
【補正の内容】
【０００９】
本発明の密着イメージセンサは、
読み取り対象に照射するための光を発する光源と、
光源から発せられた光を内部で伝播させ、読み取り対象へ光を出射する第１出射部と、第１出射部とは異なる部分であって外部へ光を出射する第２出射部とを有する導光体と、
第２出射部から出射される光の直接光を受ける領域に設けられ、当該直接光に応じた参照データを出力する補正用受光部と、
第１出射部から出射されて読み取り対象で反射される光を光電変換することによって、読み取り対象の画像を示す画像データを生成する読取用受光部と、
予め定められた基準データと補正用受光部から出力される参照データとを比較し、比較した結果に基づいて、読み取り対象が白色である場合に読取用受光部にて生成される画像データが示す明出力を補正するための処理を行なう補正部とを備える。
【手続補正２】
【補正対象書類名】明細書
【補正対象項目名】００３０
【補正方法】変更
【補正の内容】
【００３０】
補正用受光部１０６の各々は、ＬＥＤチップ１１７が発する光に対する受光感度を有するフォトダイオードなどから構成され、受けた光の光量に応じた電気信号を出力する。1組のＬＥＤチップ１１７に１つの補正用受光部１０６が対応付けて設けられる。したがって、本実施の形態では、１つのＬＥＤ基板１１８の表面には、２つの補正用受光部１０６が実装される。補正用受光部１０６はＬＥＤ基板１１８に直接、実装されてもよく、ＬＥＤチップ１１７とともにＬＥＤ基板１１８に実装されたパッケージとして備えられてもよい。
【手続補正３】
【補正対象書類名】明細書
【補正対象項目名】００３８
【補正方法】変更
【補正の内容】
【００３８】
センサ体（読取用受光部）１０８は、原稿Ｍからの反射光をレンズ体１０３を介して受け、光電変換などをすることによって、読み取った画像を示す画像データを生成して出力する。センサ体１０８にて扱われる画像データはアナログデータであるので、以下、アナログ画像データという。センサ体１０８は、図３及び図４に示すように、センサ基板１２３と、複数の読取用変換部１２４と、増幅部１２５とを有する。
【手続補正４】
【補正対象書類名】明細書
【補正対象項目名】００４０
【補正方法】変更
【補正の内容】
【００４０】
読取用変換部１２４は、複数のフォトダイオード、キャパシタなどから構成され、ＬＥＤチップ１１７が発する光に対する受光感度を有し、それぞれに受けた光に応じた電気信号を生成し、光電変換により得られたアナログ画像データとして出力する。詳細には、読取用変換部１２４は、受けた光に応じて光起電力を生じ、光のエネルギーを電気信号に変換する光電変換によって、受けた光に応じた電気信号を生成する。
【手続補正５】
【補正対象書類名】明細書
【補正対象項目名】００４１
【補正方法】変更
【補正の内容】
【００４１】
読取用変換部１２４は、センサ基板１２３の上面に主走査方向に並べて複数設けられ、センサ基板１２３がフレーム１０１に固定されると、フレーム１０１の底部の開口内に又は開口の下方に位置付けられる。
【手続補正６】
【補正対象書類名】明細書
【補正対象項目名】００４２
【補正方法】変更
【補正の内容】
【００４２】
増幅部１２５は、例えばセンサ基板１２３に設けられる回路から構成され、読取用変換部１２４にて生成された電気信号を増幅し、増幅した電気信号を出力する。増幅部１２５は、生成した電気信号を、増幅されたアナログ画像データとして出力する。
【手続補正７】
【補正対象書類名】明細書
【補正対象項目名】００４３
【補正方法】変更
【補正の内容】
【００４３】
制御部１０９は、読取用変換部１２４、光源部１０５及び補正用受光部１０６などと各種信号（データ）を送受信することによって、明出力を補正するための処理、原稿Ｍの画像を示す画像データを出力する処理などを実行する。制御部１０９が出力する画像データはデジタルデータである。以下、デジタルデータである画像データを、デジタル画像データという。
【手続補正８】
【補正対象書類名】明細書
【補正対象項目名】００５１
【補正方法】変更
【補正の内容】
【００５１】
同期制御部１３０は、ＬＥＤチップ１１７の発光と、読取用変換部１２４の光電変換及び補正用Ａ／Ｄ変換部１２７のＡ／Ｄ変換の一方又は両方とを同期させるための同期信号を、ＬＥＤ駆動部１２６と、読取用変換部１２４及び補正用Ａ／Ｄ変換部１２７の一方又は両方とへ出力する。読取用Ａ／Ｄ変換部１３１は、センサ体１０８の増幅部１２５により増幅されたアナログ画像データをデジタルデータに変換することによって、デジタル画像データを生成する。シェーディング補正部１３２は、読取用Ａ／Ｄ変換部１３１からデジタル画像データを取得し、シェーディング補正を行なうことによって、シェーディング補正されたデジタル画像データを生成する。画像処理部１３３は、シェーディング補正部１３２によりシェーディング補正されたデジタル画像データを取得し、所定の画像処理を施すことによって、画像データを生成して出力する。
【手続補正９】
【補正対象書類名】明細書
【補正対象項目名】００５９
【補正方法】変更
【補正の内容】
【００５９】
第１出射部１１４から出射した光は、透過部１１１を介して読取部１１０に密着する原稿Ｍを照射し、その原稿Ｍにより反射する。原稿Ｍで反射した光は、透過部１１１を介してレンズ体１０３を通過する。レンズ体１０３を通過した光は、読取用変換部１２４の各々の受光部に収束して受光される。
【手続補正１０】
【補正対象書類名】明細書
【補正対象項目名】００６０
【補正方法】変更
【補正の内容】
【００６０】
読取用変換部１２４の各々は、受けた光に応じた電気信号を生成する光電変換を行なう（ステップＳ１０２）。読取用変換部１２４の各々は、光電変換により得られたアナログ画像データを出力する。ここで、センサ体１０８が有する複数の読取用変換部１２４から出力されるアナログ画像データは、読取部１１０に密着した原稿Ｍの線状の部分の画像を示す。
【手続補正１１】
【補正対象書類名】明細書
【補正対象項目名】００６１
【補正方法】変更
【補正の内容】
【００６１】
増幅部１２５は、読取用変換部１２４の各々から出力される電気信号、すなわち光電変換により得られたアナログ画像データを増幅する（ステップＳ１０３）。増幅部１２５は、増幅されたアナログ画像データを出力する。
【手続補正１２】
【補正対象書類名】明細書
【補正対象項目名】００９７
【補正方法】変更
【補正の内容】
【００９７】
前段部５３６は、主走査方向に対して垂直な端部を有し、その上部に第１出射部５１４が設けられる。後段部５３７は、導光体５０４の端部近傍を拡大した平面図を図１４に示すように、後段部５３７と前段部５３６とが接合する面と鋭角をなす端部を有する。前段部５３６と後段部５３７との下部には、光拡散層５１６が設けられ、前段部５３６の上部には第１出射部５１４が設けられる。
【手続補正１３】
【補正対象書類名】明細書
【補正対象項目名】０１１３
【補正方法】変更
【補正の内容】
【０１１３】
１００，２００，３００，４００，５００，６００，７００  密着イメージセンサ
１０１  フレーム
１０２  透過体
１０３  レンズ体
１０４，４０４，５０４，６０４，７０４  導光体
１０５，２０５，４０５，５０５，６０５，７０５  光源部
１０６，２０６，３０６，４０６，５０６，６０６，７０６  補正用受光部
１０７  保持体
１０８  センサ体
１０９，８０９  制御部
１１０  読取部
１１１  透過部
１１２  保持枠体
１１３，２１３，４１３，５１３，６１３，７１３  入射部
１１４，４１４，５１４，６１４，７１４  第１出射部
１１５，２１５，３１５，４１５，５１５，６１５，７１５  第２出射部
１１６，４１６，５１６，６１６，７１６  光拡散層
１１７，２１７，５１７，６１７，７１７  ＬＥＤチップ
１１８，２１８，５１８，６１８，７１８  ＬＥＤ基板
１２４  読取用変換部
１２５  増幅部
１２６  ＬＥＤ駆動部
１２７  補正用Ａ／Ｄ変換部
１２８  記憶部
１２９，８２９  比較補正部
１３０  同期制御部
１３１  読取用Ａ／Ｄ変換部
１３２  シェーディング補正部
【手続補正１４】
【補正対象書類名】特許請求の範囲
【補正対象項目名】全文
【補正方法】変更
【補正の内容】
【特許請求の範囲】
【請求項１】
読み取り対象に照射するための光を発する光源と、
前記光源から発せられた光を内部で伝播させ、前記読み取り対象へ光を出射する第１出射部と、前記第１出射部とは異なる部分であって外部へ光を出射する第２出射部とを有する導光体と、
前記第２出射部から出射される光の直接光を受ける領域に設けられ、当該直接光に応じた参照データを出力する補正用受光部と、
前記第１出射部から出射されて前記読み取り対象で反射される光を光電変換することによって、前記読み取り対象の画像を示す画像データを生成する読取用受光部と、
予め定められた基準データと前記補正用受光部から出力される前記参照データとを比較し、比較した結果に基づいて、前記読み取り対象が白色である場合に前記読取用受光部にて生成される前記画像データが示す明出力を補正するための処理を行なう補正部と、
を備える密着イメージセンサ。
【請求項２】
前記読み取り対象が外面に密着して配置され、前記第１出射部から出射された光と前記読み取り対象で反射される光とを透過させる透過体をさらに備え、
前記補正用受光部は、前記直接光を受ける領域であって、前記透過体を透過した外部光が直接に照射しない部分に設けられる
請求項１に記載の密着イメージセンサ。
【請求項３】
前記光源は、紫外光又は赤外光を前記照射光として発する、請求項１又は２に記載の密着イメージセンサ。
【請求項４】
前記光源の光量を制御して前記光源を発光させる光源駆動部をさらに備え、
前記補正部は、前記基準データと前記補正用受光部から出力される前記参照データとを比較し、比較した結果に基づいて、前記参照データの内容が前記基準データにより示される基準を満たす光量で前記光源駆動部に前記光源を発光させる
請求項１から３のいずれか１項に記載の密着イメージセンサ。
【請求項５】
前記読取用受光部は、
前記第１出射部から出射されて前記読み取り対象で反射される光を受け、当該受けた光を光電変換することによって生成される変換信号を出力する読取用変換部と、
前記読取用変換部から出力される前記変換信号を増幅することによって前記画像データを生成する増幅部とを備え、
前記補正部は、前記基準データと前記補正用受光部から出力される前記参照データとを比較し、比較した結果に基づいて、前記参照データの内容が前記基準データにより示される基準を満たす増幅を前記増幅部にさせる
請求項１から３のいずれか１項に記載の密着イメージセンサ。
【請求項６】
光源から発せられた光を内部で伝播させるとともに外部へ出射する導光体から出射される光の直接光を受ける密着イメージセンサ内の領域に設けられ、当該直接光に応じた参照データを出力する補正用受光部と、
予め定められた基準データと前記補正用受光部から出力される前記参照データとを比較し、比較した結果に基づいて、明出力を補正するための処理を行なう補正部と、
を備える密着イメージセンサ用出力補正装置。
【請求項７】
読み取り対象に光を照射し、前記読み取り対象で反射される光を光電変換する密着イメージセンサが行う密着イメージセンサ用出力補正方法であって、
光源から発せられた光を内部で伝播させるとともに外部へ出射する導光体から出射される光の直接光を密着イメージセンサ内で受け、
前記直接光に応じた参照データを出力し、
予め定められた基準データと前記参照データとを比較し、
比較した結果に基づいて、明出力を補正するための処理を行なう
密着イメージセンサ用出力補正方法。